(57)【要約】【課題】計器用変流器によって計測したフィーダ電流に基づいて母線の負荷状態を監視することにより、変電所運用の信頼性向上に寄与することができる母線監視装置を提供する。【解決手段】フィーダ２に取り付けられた計器用変流器４では、フィーダ２に流れる電流の大きさと方向を計測する。電流算出部１２は計器用変流器４の計測値を基に母線３の予め決められた区間の電流値である母線電流９を算出する。電流算出部１２には、異常検知部１３および出力部１４が順次接続されている。異常検知部１３は、母線電流９が予め設定された基準値から逸脱したことを検知する。異常検知部１３にて母線電流９が基準値からの逸脱を検知すると、出力部１４がアラームを出力する。【選択図】図６
2018033282.tif 000002
【特許請求の範囲】
【請求項１】
フィーダと、前記フィーダに接続された母線とを有する変電所の開閉装置に設けられ、前記母線を監視する母線監視装置であって、
前記フィーダに取り付けられ、前記フィーダに流れるフィーダ電流の大きさと方向を計測する計器用変流器と、
前記計器用変流器の計測値を基に前記母線の予め決められた区間の電流値を算出する電流算出部と、
を備えた母線監視装置。
【請求項２】
前記母線の電流値が予め設定された基準値から逸脱したことを検知する異常検知部を備えた請求項１に記載の母線監視装置。
【請求項３】
前記異常検知部が前記母線の電流値における基準値からの逸脱を検知すると、アラームを出力する出力部を備えた請求項２に記載の母線監視装置。
【請求項４】
前記計器用変流器は、前記フィーダ電流の電圧基準位相角を計測し、
前記電流算出部は、前記電圧基準位相角を取り込んで前記母線の予め決められた区間の電流値を算出する請求項１〜３のいずれか１項に記載の母線監視装置。
【請求項５】
前記計器用変流器は、前記フィーダ電流の瞬時値を計測し、
前記電流算出部は、前記フィーダ電流の瞬時値を用いて前記母線の予め決められた区間の電流値を算出する請求項１〜４のいずれか１項に記載の母線監視装置。
【請求項６】
前記電流算出部が算出した母線の予め決められた区間の電流値と、前記母線区間の主回路抵抗とを基にして、当該母線区間の単位時間当たりの発熱量を算出する発熱量算出部を備えた請求項１〜５のいずれか１項に記載の母線監視装置。
【請求項７】
前記電流算出部が算出した母線の予め決められた区間の電流値に基づき前記母線区間の運転状況を表示する表示部を備えた請求項１〜６のいずれか１項に記載の母線監視装置。
【請求項８】
複母線方式の変電所の開閉装置に設けられる母線監視装置であって、
前記電流算出部が算出した前記母線の予め決められた区間の電流値を基にして前記母線区間の過電流状態を検出可能な過電流検出部と、
前記過電流検出部が複母線のうちの片方の前記母線の過電流状態を検出すると、前記フィーダの接続先をもう片方の前記母線に切り替えるフィーダ制御部と、
を備えた請求項１〜７のいずれか１項に記載の母線監視装置。
【請求項９】
複母線方式の変電所の開閉装置に設けられる母線監視装置であって、
前記電流算出部が算出した前記母線の予め決められた区間の電流値を基にして前記母線区間の過電流状態を検出可能な過電流検出部と、
前記過電流検出部が複母線のうちの片方の前記母線の過電流状態を検出すると、１ないしは複数の前記フィーダを両方の前記母線に接続して両母線ブリッジ状態にするフィーダ制御部と、
を備えた請求項１〜７のいずれか１項に記載の母線監視装置。
【請求項１０】
前記過電流検出部が片方の前記母線における過電流を検出し続けると、前記フィーダ制御部は、両母線ブリッジ状態にある前記フィーダとは異なる１ないしは複数のフィーダの接続先をもう片方の前記母線に切り替える請求項９に記載の母線監視装置。
【発明の詳細な説明】
【技術分野】
【０００１】
本発明の実施形態は、変電所の開閉装置に設けられた母線を監視する装置に関する。
【背景技術】
【０００２】
送変電系統に使用される変電所の開閉装置には、フィーダが組み込まれている。フィーダには、受電フィーダと送電フィーダとがある。受電フィーダは、対向変電所、発電所或いは変圧器からの電流を母線に集中させるものであり、送電フィーダは母線に流れる電流を変圧器或いは各系統へと配電するものである。フィーダに流れる電流についてはフィーダ電流と呼ぶこととする。
【０００３】
フィーダの導体外周にはフィーダ電流を計測するための計器用変流器が取付けられている。変電所の開閉装置は、計器用変流器と共に、制御盤、保護盤、保護リレー及び遮断器を含んでおり、事故電流の除去という役割を担っている。すなわち、計器用変流器によってフィーダに流れるフィーダ電流が計測され、その計測結果は導線などを介して制御盤及び保護盤に取り込まれる。系統で事故が起こった際には制御盤及び保護盤にて異常電流が検出される。これにより、変電所の開閉装置では、保護リレーが作動し、遮断器が動作して事故電流を除去することができる。
【先行技術文献】
【特許文献】
【０００４】
【特許文献１】特開平１０−２６０２９４号公報
【発明の概要】
【発明が解決しようとする課題】
【０００５】
前述した通り、変電所の開閉装置では、計器用変流器がフィーダ電流を計測することで系統事故による異常電流を検出する。各フィーダにおけるフィーダ電流によって母線区間に流れる電流は変化する。そのため、母線区間が担う電流負担は部分的に大きくなり、母線に定格以上の電流が流れることがある。その結果、母線での発熱量が増加して、母線温度の上昇を招くおそれがある。
【０００６】
従来技術では、計器用変流器はフィーダに取り付けられるのみであり、母線には、母線に流れる電流を計測するための機器は取り付けられていない。したがって、フィーダ電流による母線の負荷状態に関しては把握されていなかった。近年では、変電所運用の信頼性について向上させることが求めれており、母線の負荷状態を監視することが要請されていた。
【０００７】
本実施形態は、上記の課題を解決するためになされたものであり、計器用変流器によって計測したフィーダ電流に基づいて母線の負荷状態を監視することにより、変電所運用の信頼性向上に寄与することができる母線監視装置を提供することを目的とするものである。
【課題を解決するための手段】
【０００８】
上記の目的を達成するため、本発明の実施形態は、フィーダと、前記フィーダに接続された母線とを有する変電所の開閉装置に設けられ、前記母線を監視する母線監視装置であって、次の構成要素（１）及び（２）を備えている。
（１）前記フィーダに取り付けられ、前記フィーダに流れるフィーダ電流の大きさと方向を計測する計器用変流器。
（２）前記計器用変流器の計測値を基に前記母線の予め決められた区間の電流値を算出する電流算出部。
【図面の簡単な説明】
【０００９】
【図１】単母線方式の変電所の開閉装置の単線結線図。
【図２】複母線方式の変電所の開閉装置の単線結線図。
【図３】１・１／２回線方式の変電所の開閉装置の単線結線図。
【図４】複母線方式を単母線方式に見なした変電所の開閉装置の単線結線図。
【図５】複母線方式を単母線方式に見なした変電所の開閉装置の単線結線図。
【図６】第１の実施形態の単線結線図及びブロック図。
【図７】第４の実施形態の単線結線図及びブロック図。
【図８】第５の実施形態の表示例を示す図。
【図９】第６の実施形態の単線結線図及びブロック図（過電流状態）。
【図１０】第６の実施形態の単線結線図及びブロック図（母線切り替え状態）。
【図１１】第７の実施形態の単線結線図及びブロック図（両母線ブリッジ状態）。
【図１２】第７の実施形態の単線結線図及びブロック図（過電流状態）。
【図１３】第７の実施形態の単線結線図及びブロック図（母線切り替え状態）。
【発明を実施するための形態】
【００１０】
本発明に係る実施形態について説明する。以下の実施形態はいずれも、変電所の開閉装置に組み込まれた母線を監視する装置である。なお、各実施形態の基本的な構成は同様であるため、第２以降の実施形態では第１の実施形態と同様の構成要素について同一符号を付し、説明は省略する。
【００１１】
（変電所の開閉装置の概要）
変電所の開閉装置の概要について、図１〜図５を用いて簡単に説明する。変電所の開閉装置における母線方式としては、図１に示した単母線方式１、図２に示した複母線方式６、図３に示した１・１／２回線方式７などが知られている。図１〜図３は、これらの方式での典型的な単線結線図である。図４、図５は複母線方式を単母線方式に見なした場合の変電所の開閉装置の単線結線図である。
【００１２】
図１に示すように、単母線方式１の変電所の開閉装置には、受電フィーダ２ａ及び送電フィーダ２ｂを含む複数のフィーダ２と、受電フィーダ２ａと送電フィーダ２ｂとを連絡する母線３と、各フィーダ２に取り付けられる計器用変流器４とが、設けられている。このような開閉装置では、対向変電所、発電所或いは変圧器からの電流を、受電フィーダ２ａを経由して母線３に集中させ、母線３から送電フィーダ２ｂを経由して変圧器或いは各系統へと配電する。
【００１３】
図２に示す複母線方式６の変電所の開閉装置及び図３に示す１・１／２回線方式７の変電所の開閉装置には、２本の母線３ａ、３ｂが設けられている。複母線方式６及び１・１／２回線方式７では、変電所の運用状況に合わせて、２本の母線３ａ、３ｂのうちのいずれかを選択して、その母線に電流を集中させている。
【００１４】
なお、図４、図５に示すように、各母線３ａ、３ｂに連結されたフィーダ２に着目するのであれば、複母線方式６も単母線方式１と同様に見なすことができる。また、１・１／２回線方式７についても、複母線方式６と同様である。したがって、以降の各実施形態では、単母線方式１を前提に説明を行うが、複母線方式６あるいは１・１／２回線方式７に対しても各実施形態を適用することは可能である。
【００１５】
（１）第１の実施形態
（構成）
図６を用いて、第１の実施形態に係る母線監視装置の構成について説明する。図６は、図１の単線結線図を簡略化したものに、構成要素を示すブロック図を付与した図である。図６に示すように、第１の実施形態では、フィーダ２は、「フィーダ１」〜「フィーダｎ＋１」からなる。「フィーダ１」と「フィーダ２」とに挟まれた母線３の区間を「母線区間１」とし、「フィーダ２」と「フィーダ３」とに挟まれた母線３の区間を「母線区間２」とし、…「フィーダｎ−１」と「フィーダｎ」とに挟まれた母線３の区間を「母線区間ｎ−１」、「フィーダｎ」と「フィーダｎ＋１」とに挟まれた母線３の区間を「母線区間ｎ」とする。
【００１６】
各フィーダ２には計器用変流器４が取り付けられている。計器用変流器４は、各フィーダ２に流れるフィーダ電流８の大きさと方向を計測する。フィーダ電流８の方向は、母線３に流入する方向を正、すなわち図６の各フィーダ２の横に描かれた矢印の方向を正とする。
【００１７】
各計器用変流器４の計測値は、導線などを介して制御盤及び保護盤に送付される。制御盤には電流算出部１２、異常検知部１３および出力部１４が設けられている。電流算出部１２は、各計器用変流器４から計測値を受け取り、計器用変流器４の計測値を基にして母線３の電流値（具体的には、前記母線区間毎の電流値、以下、母線電流９と呼ぶ）を算出する。電流算出部１２は、前述で定めた電流方向を基にして母線電流９の計算を行うが、仮に電流方向を本実施形態と反対に設定したとしても、当該母線電流９の符号を入れ替えるのみで対応することができるので本質的な内容に変わりはない。
【００１８】
電流算出部１２には、異常検知部１３および出力部１４が順次接続されている。異常検知部１３は、母線電流９が予め設定された基準値から逸脱したことを検知して検知信号を出力部１４に送る。異常検知部１３から検知信号を受けると、出力部１４は、母線電流９が基準値から逸脱したことを示すアラームを出力する。出力部１４が出力するアラームは、音声であってもよいし、画像による表示であってもよい。
【００１９】
交流送電における一般的な電流は下記の式（１）にて表すことができる。
（数１）
2018033282.tif 000003
ここでＩＦｋは、ｋ(=1, 2, 3,…n+1)番目のフィーダ電流８の瞬時値を示している。ＡＦｋはｋ番目のフィーダ２におけるフィーダ電流８の実効値を示し、ｆは系統における周波数を示す。
【００２０】
これより、各母線区間ｋ(=1, 2, 3,…n)における母線電流９をＩＢｋとすれば、ＩＢｋは以下の式（２）のように表すことができる。
（数２）
2018033282.tif 000004
母線電流９は、図６で左から右への方向を正、すなわち母線３の上方に描かれた矢印の方向を正とする。
【００２１】
電流算出部１２では、上記の式（２）を下記の式（３）のように変化させることで、フィーダ電流８における実効値ＡＦｋを用いて、母線電流９を求める。フィーダ電流８の実効値ＡＦｋは、フィーダ電流８が母線３に流入する方向（受電）に流れるのであれば正の値、フィーダ電流８が母線３から流出する方向（送電） に流れるのであれば負の値となる。
（数３）
2018033282.tif 000005
【００２２】
(効果と作用)
以上の第１の実施形態では、電流算出部１２が計器用変流器４の計測値を基に、フィーダ電流８の実効値を用いて、母線３に流れる母線電流９（具体的には、前記母線区間毎の電流値）を算出することができる。そして、母線電流９が予め設定された基準値から逸脱すれば、異常検知部１３がこれを検知して出力部１４がアラームを出力する。
【００２３】
このような第１の実施形態によれば母線３の前記各区間における負荷状態を監視することができ、監視結果に基づいて母線３に流す電流を低減させるなど、最適な変電所運用を実現することが可能となる。したがって、負荷の増大に伴う母線３の温度上昇を回避することができる。また、電流算出部１２による算出方法を設計段階で適用することにより、母線３の潮流分布が最適となるフィーダ２の配置設計を行うことも可能である。これにより、変電所運用の信頼性向上に寄与することができる。
【００２４】
(２)第２の実施形態
（構成）
第２の実施形態では計器用変流器４がフィーダ電流８の大きさと方向に加えて、電圧基準位相角も計測する。電流算出部１２は、計器用変流器４が計測した電圧基準位相角を取り込んで母線電流９（具体的には、前記母線区間毎の電流値）を算出する。
【００２５】
実際の電力系統では、送電線の長さや種類、需要家の数などで各系統のインピーダンスが異なるため、各フィーダ２に流れるフィーダ電流８には位相差が生じる。したがって、電流算出部１２にてフィーダ電流８の電圧基準位相角を取り込むことにより、母線電流９を高い精度で算出することが可能となる。
【００２６】
各フィーダ２におけるフィーダ電流８の電圧基準位相角をθＦｋとすれば、フィーダ電流８の瞬時値であるＩＦｋは、以下の式（４）のように表すことができる。
（数４）
2018033282.tif 000006
このフィーダ電流８の瞬時値であるＩＦｋを上記の式（２）に代入することで、電流算出部１２は、電圧基準位相角を考慮した母線電流９を算出することができる。
【００２７】
（効果と作用）
第２の実施形態は、フィーダ電流８の実効値であるＡＦｋに加えて、フィーダ電流８の電圧基準位相角を考慮することで、より正確な母線電流９（具体的には、前記母線区間毎の電流値）を算出することができる。そのため、第２の実施形態では、母線３の前記各区間における負荷状態を高い精度で監視することが可能となり、最適な変電所運用を選択して変電所運用の信頼性を更に高めることができる。
【００２８】
（３）第３の実施形態
（構成）
第３の実施形態では計器用変流器４がフィーダ電流８の瞬時値を計測し、このフィーダ電流８の瞬時値を用いて電流算出部１２が母線電流９（具体的には、前記母線区間毎の電流値）の瞬時値を求める。
【００２９】
「フィーダ１」におけるフィーダ電流８の電圧基準位相角を０とし、「フィーダｋ」の「フィーダ１」に対するフィーダ電流８の位相差をθＦｋとした場合、交流送電での電流を示す上記式（１）は、以下の式（５）のように変化する。
（数５）
2018033282.tif 000007
【００３０】
このとき、母線電流９の瞬時値を用いることで、各母線区間ｋ(=1, 2, 3,…n)における母線電流９のＩBｋを求める上記の式（２）は、以下の式（６）のように変化する。
（数６）
2018033282.tif 000008
【００３１】
（効果と作用）
第３の実施形態では計器用変流器４がフィーダ電流８の瞬時値を計測し、このフィーダ電流８の瞬時値を用いて、電流算出部１２が母線電流９（具体的には、前記母線区間毎の電流値）の瞬時値を求めるため、上記第２の実施形態のようにフィーダ電流８の大きさと電圧基準位相角とをそれぞれ個別に考慮する必要が無い。したがって、母線３の前記各区間における負荷状態を迅速に監視することが可能となる。これにより、母線３の前記各区間における負荷状態に応じた変電所運用を適切なタイミングで選択して、変電所運用の信頼性をいっそう向上させることができる。
【００３２】
（４）第４の実施形態
（構成）
第４の実施形態の構成について、図７を用いて説明する。図７に示すように、第４の実施形態では、電流算出部１２に発熱量算出部１１が接続され、発熱量算出部１１には表示部１０が接続されている。発熱量算出部１１は、電流算出部１２が算出した母線電流９（具体的には、前記母線区間毎の電流値）と、母線３の抵抗値とを取り込み、これらを基にして、母線３の前記各区間における単位時間当たりの発熱量を算出する。発熱量算出部１１には表示部１０が接続されている。表示部１０は、発熱量算出部１１が算出した母線区間の単位時間当たりの発熱量を表示する。
【００３３】
母線３の抵抗値を知る方法としては、回路の抵抗値を直接測定する方法や、導体の材質、形状及び接点構造などから回路の抵抗値を算出する方法などがある。発熱量算出部１１では、これらの方法で得られた母線３の抵抗値を取り込み、この抵抗値に対して母線電流９の二乗を乗算することで、母線３の前記各区間における単位時間当たりの発熱量を導く。
【００３４】
具体的には、発熱量算出部１１は、各母線区間の抵抗値をＲBｋとして、各母線３の前記各区間における単位時間当たりの発熱量ＷBｋを、以下の式（７）に基づいて算出する。
（数７）
2018033282.tif 000009
【００３５】
(効果と作用)
第４の実施形態では、発熱量算出部１１が母線３の前記各区間における単位時間当たりの発熱量ＷBｋを算出し、表示部１０にて母線３の単位時間当たりの発熱量ＷBｋを表示する。そのため、ユーザーは母線３の温度上昇を間接的に把握することができる。このような第４の実施形態によれば、母線３の負荷が増大して母線３の温度が上昇した場合でも、母線３の温度上昇を抑えるような変電所運用を実施することができ、変電所運用の信頼性がいっそう向上する。
【００３６】
（５）第５の実施形態
（構成）
第５の実施形態の構成について、図８を用いて説明する。図８に示すように、第５の実施形態には、電流算出部１２が算出した母線電流９（具体的には、前記母線区間毎の電流値）に基づいて母線３の前記各区間における運転状況を表示する表示部１０が設けられている。
【００３７】
表示部１０は、表示画面１５を有しており、表示画面１５上に、変電所自動化システム上の単線結線図に表示すると共に、単線結線図上の各母線区間近傍に表示窓１６を表示する。表示部１０は、電流算出部１２から母線電流９に関する情報を受け取って、表示窓１６の中に母線電流９の大きさを表示する。
【００３８】
表示部１０は、予め設定された基準値に基づいて母線３の運転状況を、異なる複数の態様で表示する。表示部１０による表示態様としては、例えば、母線電流９の大きさが設定された基準値以上か、あるいは設定された基準値未満かで、表示窓１６自体が色分けして表示される。
【００３９】
図８に示した例においては、母線電流９の基準値として3000Ａを設定し、3000Ａ以下である甲母線区間ｋ-1の2500Ａと、乙母線区間ｋ-1及び乙母線区間ｋの1200Ａを表示する部分については緑色で表示する（図８では白抜きで示す）。また、基準値を超えた甲母線ｋの3500Ａを表示する部分については赤色で表示とする（図８では交差する斜線で示す）。
【００４０】
さらに、表示部１０は、母線電流９の電流値の冒頭に正負の符号を表示することで母線電流９の方向を示す。但し、正の符号は通例に従い表示を省いている。例えば、図８に示す表示窓１６において、甲母線区間ｋ-1では2500Ａ、甲母線区間ｋでは3500Ａ、乙母線区間ｋ-1及び乙母線区間ｋでは−1200Ａが表示されている。また、表示部１０は、表示画面１５上に、母線電流９の方向に示す表示として表示窓１６付近に矢印を表示するようにしてもよい。
【００４１】
（作用と効果）
第５の実施形態では、表示部１０が表示窓１６に母線電流９の値を色分けして表示することができる。そのため、第５の実施形態を用いるユーザーは、母線３の運転状況を視覚的に認知して母線３の負荷状態を容易且つ確実に認識することが可能となる。これにより、変電所運用の信頼性向上に寄与することができる。
【００４２】
（６）第６の実施形態
（構成）
図９、図１０を用いて第６の実施形態の構成について説明する。第６の実施形態は、複母線方式６の変電所の開閉装置に設けられる母線監視装置である。図９、図１０に示すように、第６の実施形態には、電流算出部１２に過電流検出部１７およびフィーダ制御部１８が順次接続されている。
【００４３】
過電流検出部１７は、電流算出部１２が算出した母線電流９（具体的には、前記母線区間毎の電流値）を基にして母線３の前記各区間における過電流状態を検出する。例えば図９においては、過電流検出部１７は母線３ａの過電流状態を検出して、甲母線区間ｋの電流が規定値よりも高く過電流状態であるとして、甲母線区間ｋの過電流に大きな影響を与えているフィーダ２はフィーダｋであるとする。
【００４４】
このとき、表示窓１６にて表示される母線電流９の大きさは、図９に示すように、甲母線区間ｋ-1では2500Ａ、甲母線区間ｋでは3500Ａ、乙母線区間ｋ-1及び乙母線区間ｋでは−1200Ａとなっている。また、各表示窓１６において甲母線区間ｋの3500Ａの部分のみが赤色で表示され（図９では交差する斜線で示す）、他の部分の数値は緑色で表示されている（図９では白抜きで示す）。
【００４５】
フィーダ制御部１８は、過電流検出部１７が複母線のうちの片方の母線３ａの過電流状態を検出すると、母線３ａの過電流状態に大きな影響を与えるフィーダｋの接続先に関して開閉器５を動作させ、もう片方の母線３ｂに切り替える（図９、図１０において点線で囲んだ部分、黒丸は「閉」、白丸は「開」を示す、以下同じ）。その結果、フィーダｋにおけるフィーダ電流８ＩＦｋの分だけ、甲母線区間ｋの母線電流９を減らすことができる。
【００４６】
したがって、図１０に示すように、甲母線区間ｋの表示窓１６では、母線電流９の大きさが、図９に示した3500Ａから、2500Ａに変化したことが表示されて、赤色から緑色に変る（図１０では白抜きで示す）。なお、乙母線区間ｋ-1及び乙母線区間ｋは、図９から図１０の状態に移行すると、乙母線区間ｋ-1の母線電流９は−1200Ａから−2200Ａとなる。乙母線区間ｋの母線電流９については−1200Ａのままである。
【００４７】
（作用と効果）
以上の第６の実施形態では、過電流検出部１７が複母線のうちの片方の母線３ａの過電流状態を検出すると、フィーダ制御部１８がフィーダ２の接続先をもう片方の母線３ｂに切り替えることで、母線電流９を減らすことができる。したがって、特定の母線区間の過電流を解消することが可能となり、母線３の負荷状態が軽減されて変電所運用の信頼性が向上する。
【００４８】
（７）第７の実施形態
（構成）
前記図９及び図１１〜図１３を用いて第７の実施形態の構成について説明する。第７の実施形態は、前記第６の実施形態と同じく、複母線方式7の変電所の開閉装置に設けられる母線監視装置であって、過電流検出部１７とフィーダ制御部１８を有している。第７の実施形態に係るフィーダ制御部１８では、過電流検出部１７が複母線のうちの片方の母線３の前記各区間における過電流状態を検出すると、開閉器５を動作させ、フィーダ２を両方の母線３ａ、３ｂに接続して両母線ブリッジ状態にする。
【００４９】
過電流検出部１７は母線３ａの過電流状態を検出して、母線区間ｋの電流が規定値よりも高く過電流状態である。このとき、母線区間ｋの過電流に大きな影響を与えているフィーダ２が、フィーダｋであると仮定する（前記図９参照）。このような場合、第７の実施形態のフィーダ制御部１８は、開閉器５を動作させ、フィーダ２を両方の母線３ａ、３ｂに接続して両母線ブリッジ状態にする。例えば図１１に示すように、両母線ブリッジ状態にすると（図１１において点線で囲んだ部分）、甲母線ｋの表示窓１６は、図９に示した3500Ａから、3000Ａに変化して緑色で表示される（図１１では白抜きで示す）。したがって、全ての表示窓１６が緑色で表示されることになる。
【００５０】
両母線ブリッジ状態にした後も過電流検出部１７が片方の母線３ａにおける過電流を検出し続けることがある。例えば、図１２に示すように、甲母線ｋの表示窓１６では3100Ａが赤色で表示されている（図１２では交差する斜線で示す）。このような場合には、第７の実施形態のフィーダ制御部１８は、開閉器５を動作させ、両母線ブリッジ状態にあるフィーダｋとは異なるフィーダ２、例えばフィーダｋ-1の接続先を、開閉器５を動作させ、母線３ａから片方の母線３ｂに切り替える（図１２、図１３において点線で囲んだ部分）。これにより、図１３に示すように、甲母線ｋの表示窓１６では、母線電流９の大きさが、図１２で示した3100Ａから2600Ａとなって、緑色で表示される（図１３では白抜きで示す）。なお、甲母線区間ｋ-1の表示窓１６では母線電流９の大きさが2500Ａから2000Ａとなる。
【００５１】
（作用と効果）
第７の実施形態では、過電流検出部１７が複母線のうちの片方の母線３ａあるいは３ｂの過電流状態を検出すると、フィーダ制御部１８がフィーダ２を両方の母線３ａ、３ｂの両方に接続して両母線ブリッジ状態にする。これにより、フィーダ電流ＩＦｋが両母線３ａ、３ｂに分流し、過電流状態である母線３ａあるいは３ｂの母線電流９を減らすことができる。したがって、特定の母線区間の過電流を解消することができ、変電所運用の信頼性向上を図ることができる。
【００５２】
さらに、第７の実施形態では、フィーダ２を両方の母線３ａ、３ｂの両方に接続して両母線ブリッジ状態にしても過電流検出部１７が母線３ａあるいは３ｂの過電流状態を検出し続ける場合には、フィーダ制御部１８は、両母線ブリッジ状態のフィーダ２とは異なるフィーダ２の接続先をもう片方の母線３ａあるいは３ｂに切り替える。これにより、フィーダ電流８であるＩＦｋの分だけ、母線電流９を減らすことができ、特定の母線区間の過電流を解消して、母線３の負荷状態が軽減されて変電所運用の信頼性が向上する。
【００５３】
（８）他の実施形態
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５４】
例えば、第５の実施形態の表示部１０において、発熱量算出部１１から母線区間の単位時間当たりの発熱量に関する情報を受け取り、表示窓１６に単位時間当たりの母線区間の発熱量も併せて表記するようにしてもよい。このとき、発熱量が規定値以下であれば、表示窓１６の表示色を緑として母線３が定格以下の電流で運転されていることを示すようにしてもよい。また、発熱量が規定値以上の場合は表示窓１６の表示色を赤として異常事態であることをユーザーに容易に認知させるようにしてもよい。
【符号の説明】
【００５５】
１…単母線方式
２…フィーダ
２ａ…受電フィーダ
２ｂ…送電フィーダ
３…母線
４…計器用変流器
６…複母線方式
７…１・１／２回線方式
８…フィーダ電流
９…母線電流
１０…表示部
１１…発熱量算出部
１２…電流算出部
１３…異常検知部
１４…出力部
１５…表示画面
１６…表示窓
１７…過電流検出部
１８…フィーダ制御部
【図１】
2018033282.tif 000010
【図２】
2018033282.tif 000011
【図３】
2018033282.tif 000012
【図４】
2018033282.tif 000013
【図５】
2018033282.tif 000014
【図６】
2018033282.tif 000015
【図７】
2018033282.tif 000016
【図８】
2018033282.tif 000017
【図９】
2018033282.tif 000018
【図１０】
2018033282.tif 000019
【図１１】
2018033282.tif 000020
【図１２】
2018033282.tif 000021
【図１３】
2018033282.tif 000022